(57)【要約】【課題】監視映像と作業者のタスクとを紐づけて管理することで、タスクごとに対応する監視映像を簡易且つ迅速に閲覧可能とした監視システム及び監視方法を提供する。【解決手段】本発明は、複数の監視カメラ２−１、…２−ｎと、監視映像を記録及び配信するサーバ装置１と、作業者の情報端末３−１、…３−ｎとからなる監視システムであって、作業者の情報端末３は、作業の開始、中断、再開、及び終了の少なくともいずれかを示す特定点を指示する特定点指示部を有し、サーバ装置１は、監視カメラの映像を記録及び配信する監視映像記録配信部と、作業者の情報端末からの特定点の指示に基づいて、前記監視カメラの映像を記録するときに対応する特定点を併せて記録する特定点記録部とを有することを特徴とする。【選択図】図１
2018101921.tif 000002
【特許請求の範囲】
【請求項１】
複数の監視カメラと、
監視映像を記録及び配信するサーバ装置と、
作業者の情報端末と、からなる監視システムであって、
前記作業者の情報端末は、
作業の開始、中断、再開、及び終了の少なくともいずれかを示す特定点を指示する特定点指示部を有し、
前記サーバ装置は、
前記監視カメラの映像を記録及び配信する監視映像記録配信部と、
前記作業者の情報端末からの特定点の指示に基づいて、前記監視カメラの映像を記録するときに対応する特定点を併せて記録する特定点記録部と、を有する
監視システム。
【請求項２】
管理者の情報端末を更に有し、
前記管理者の情報端末は、
前記作業者のタスクを設定するタスク設定部と、
前記サーバ装置から配信される監視映像を監視する監視部と、を備え、
前記サーバ装置は、前記管理者の情報端末で設定されたタスクを登録、更新するタスク登録更新部を更に備える
請求項１に記載の監視システム。
【請求項３】
前記サーバ装置は、
前記タスクを管理し、前記タスクに含まれる作業開始時刻に至っても前記作業者の情報端末より作業開始に係る特定点の指示がなかったときは、所定の警告を行うタスク管理部を更に有する
請求項２に記載の監視システム。
【請求項４】
前記所定の警告は、電子メール又はチャットによる
請求項３に記載の監視システム。
【請求項５】
前記管理者の情報端末は、
電子メールを送受する電子メール制御部と、
チャットを実行するチャット制御部と、を更に備え、
前記監視部による監視の実行中に、前記電子メール制御部による電子メール、又は前記チャット制御部によるチャットの少なくともいずれかにより前記作業者に指示を行う
請求項４に記載の監視システム。
【請求項６】
複数の監視カメラと、
監視映像を記録及び配信するサーバ装置と、
作業者の情報端末と、からなる監視システムによる監視方法であって、
前記作業者の情報端末が、作業の開始、中断、再開、及び終了の少なくともいずれかを示す特定点を指示し、
前記サーバ装置が、前記監視カメラの映像を記録及び配信し、
前記作業者の情報端末からの特定点の指示に基づいて、前記監視カメラの映像を記録するときに対応する特定点を併せて記録する
監視方法。
【請求項７】
前記監視システムは管理者の情報端末を更に有し、
前記管理者の情報端末が、
前記作業者のタスクを設定し
前記サーバ装置から配信される監視映像を監視し、
前記サーバ装置が、前記管理者の情報端末で設定されたタスクを登録、更新する
請求項６に記載の監視方法。
【請求項８】
前記サーバ装置が、
前記タスクを管理し、前記タスクに含まれる作業開始時刻に至っても前記作業者の情報端末より作業開始に係る特定点の指示がなかったときは、所定の警告を行う
請求項７に記載の監視方法。
【請求項９】
前記所定の警告は、電子メール又はチャットによる
請求項８に記載の監視方法。
【請求項１０】
前記管理者の情報端末が、
前記監視の実行中に、電子メール、又はチャットの少なくともいずれかにより前記作業者に指示を行う
請求項９に記載の監視方法。
【発明の詳細な説明】
【技術分野】
【０００１】
本発明は、遠隔より作業者の状況などを監視する監視システム及び監視方法に関する。
【背景技術】
【０００２】
従来、防犯カメラ等を含む監視カメラで、業務管理者等の監視者が、従業員等の被監視者の業務（ノルマ、タスクなど）を確実に管理する場合、監視者が監視カメラの映像（以下、監視映像という）を常時視聴する必要がある。
【０００３】
また、監視映像を録画して業務を管理する場合でも、後で「被監視者がいつ何の業務をしたのか」を管理するには、監視映像を早送りや巻き戻しなどをしながら視聴して確認する必要がある。上記の理由から、監視カメラを使って業務を管理することには、膨大な時間がかかっていた。従って、監視カメラはトラブルがあった時の為の証拠として録画している場合が多い。また、被監視者に「常に監視者に監視映像で監視されている」という環境を与えて心理的に不正行為や業務怠慢など抑止させる目的に限定されている。これも上記の理由で常時監視映像を視聴することは限界があり、何かトラブルでもなければ後で見返すこともないのが現状である。
【０００４】
ここで、例えばコンビニエンスストア等では、店の状況や作業者の作業状況を確認するために複数の監視カメラが設置されており、店の奥で店主等が当該監視カメラの映像をリアルタイムで或は事後的に確認することがなされている。そして、今日では、長時間にわたる監視映像を効率よく確認するための技術の実現が嘱望されている。
【０００５】
この種の技術として、例えば、特許文献１では、一定時間ごとに別な時間帯の映像を複数の分割画面に同時に再生し、飛び飛びに記録された場合でも、所望映像を探し出す作業に要する時間を短縮する監視映像再生方法及び装置が開示されている。
【先行技術文献】
【特許文献】
【０００６】
【特許文献１】特開平２０１２−２３９０４２号公報
【発明の概要】
【発明が解決しようとする課題】
【０００７】
しかしながら、上記従来技術では、監視映像と、作業者が作業を開始した時刻、中断した時刻、再開した時刻、及び終了した時刻等とを、対応付けて記録することはなされていないので、監視映像を見ながら、作業者の状況を確認するしかなかった。
【０００８】
すなわち、現状の監視カメラを使って監視者が被監視者の業務がいつ行われたのかを即時にまた事後に簡易に視聴できる方法があれば、遠隔の複数の監視場所で被監視者の業務を効率よく管理することができることから、その実現が嘱望されている。
【０００９】
本発明は、このような課題に鑑みてなされたものであり、監視映像と作業者のタスクとを紐づけて管理することで、タスクごとに対応する監視映像を簡易且つ迅速に閲覧可能とした監視システム及び監視方法を提供することにある。
【課題を解決するための手段】
【００１０】
上記課題を解決するため、本発明の第１の態様に係る監視システムは、複数の監視カメラと、監視映像を記録及び配信するサーバ装置と、作業者の情報端末と、からなる監視システムであって、前記作業者の情報端末は、作業の開始、中断、再開、及び終了の少なくともいずれかを示す特定点を指示する特定点指示部を有し、前記サーバ装置は、前記監視カメラの映像を記録及び配信する監視映像記録配信部と、前記作業者の情報端末からの特定点の指示に基づいて、前記監視カメラの映像を記録するときに対応する特定点を併せて記録する特定点記録部と、を有する。
【００１１】
そして、本発明の第２の態様に係る監視システムは、第１の態様において、管理者の情報端末を更に有し、前記管理者の情報端末は、前記作業者のタスクを設定するタスク設定部と、前記サーバ装置から配信される監視映像を監視する監視部と、を備え、前記サーバ装置は、前記管理者の情報端末で設定されたタスクを登録、更新するタスク登録更新部を更に備える。
【００１２】
さらに、本発明の第３の態様に係る監視システムは、第２の態様において、前記サーバ装置は、前記タスクを管理し、前記タスクに含まれる作業開始時刻に至っても前記作業者の情報端末より作業開始に係る特定点の指示がなかったときは、所定の警告を行うタスク管理部を更に有する。
【００１３】
また、本発明の第４の態様に係る監視システムは、第３の態様において、前記所定の警告は、電子メール又はチャットによる。
【００１４】
そして、本発明の第５の態様に係る監視システムは、第４の態様において、前記管理者の情報端末は、電子メールを送受する電子メール制御部と、チャットを実行するチャット制御部と、を更に備え、前記監視部による監視の実行中に、前記電子メール制御部による電子メール、又は前記チャット制御部によるチャットの少なくともいずれかにより前記作業者に指示を行う。
【００１５】
さらに、本発明の第６の態様に係る監視方法は、複数の監視カメラと、監視映像を記録及び配信するサーバ装置と、作業者の情報端末と、からなる監視システムによる監視方法であって、前記作業者の情報端末が、作業の開始、中断、再開、及び終了の少なくともいずれかを示す特定点を指示し、前記サーバ装置が、前記監視カメラの映像を記録及び配信し、前記作業者の情報端末からの特定点の指示に基づいて、前記監視カメラの映像を記録するときに対応する特定点を併せて記録する。
【００１６】
本発明の第７の態様に係る監視方法は、第６の態様において、前記監視システムは管理者の情報端末を更に有し、前記管理者の情報端末が、前記作業者のタスクを設定し、前記サーバ装置から配信される監視映像を監視し、前記サーバ装置が、前記管理者の情報端末で設定されたタスクを登録、更新する。
【００１７】
本発明の第８の態様に係る監視方法は、第７の態様において、前記サーバ装置が、前記タスクを管理し、前記タスクに含まれる作業開始時刻に至っても前記作業者の情報端末より作業開始に係る特定点の指示がなかったときは、所定の警告を行う。
【００１８】
本発明の第９の態様に係る監視方法は、第８の態様において、前記所定の警告は、電子メール又はチャットによる。
【００１９】
そして、本発明の第１０の態様に係る監視方法は、第９の態様において、前記管理者の情報端末が、前記監視の実行中に、電子メール、又はチャットの少なくともいずれかにより前記作業者に指示を行う。
【発明の効果】
【００２０】
本発明によれば、監視映像と作業者のタスクとを紐づけて管理することで、タスクごとに対応する監視映像を簡易且つ迅速に閲覧可能とした監視システム及び監視方法を提供することができる。
【図面の簡単な説明】
【００２１】
【図１】本発明の実施形態に係る監視システムの構成図である。
【図２】同システムにおけるサーバ装置の構成図である。
【図３】各種テーブル構成を示す図である。
【図４】各種テーブル構成を示す図である。
【図５】同システムにおける情報端末の構成図である。
【図６】同システムにおける情報端末の構成図である。
【図７】同システムによる監視方法を示すフローチャートである。
【図８】同システムによる監視方法を示すフローチャートである。
【図９】管理者の操作画面を示す図である。
【図１０】管理者の操作画面を示す図である。
【図１１】管理者の操作画面を示す図である。
【図１２】作業者の閲覧画面を示す図である。
【図１３】作業者の閲覧画面を示す図である。
【図１４】作業者の閲覧画面を示す図である。
【発明を実施するための形態】
【００２２】
以下、図面を参照しつつ本発明の一実施形態について説明する。
【００２３】
本発明の実施形態に係る監視システムは、防犯カメラ等の監視カメラを使って業務管理者などの監視者（以下、管理者という）が作業員等の被監視者（以下、作業員という）のノルマやタスクなどの業務を簡易且つ迅速に監視可能とするものである。
【００２４】
一般に、監視カメラを用いた従業員等の業務管理には膨大な時間を要している。監視カメラでの業務管理には、その態様に「リアルタイム監視」と「録画監視」とがあるが、「リアルタイム監視」では、管理者が監視映像を常時視聴する必要があり、「録画監視」で録画した監視映像を後で見返して確認する場合でも映像を早送りや巻き戻しをして視聴による確認をする必要がある。従って、監視カメラでの業務管理は、トラブル等があった場合に限り事後的に確認するのが現状であった。しかるに、本実施形態に係る監視システム及び監視方法によれば、このような問題を解決することができる。以下、詳述する。
【００２５】
先ず、図１には本発明の実施形態に係る監視システムの構成を示し説明する。
【００２６】
同図に示されるように、本実施形態に係る監視システムは、監視映像を記録、管理、及び配信等するサーバ装置１と、複数の監視カメラ２−１，２−２，…２−ｎ（以下、符号２で総称する）と、複数の作業者の情報端末３−１、…３−ｎ（以下、符号３で総称する）と、管理者の情報端末４とが、インターネット等のネットワークを介して通信自在に接続されている。作業者の情報端末としては、パーソナルコンピュータ（以下、ＰＣ）、携帯電話機、スマートフォン、タブレット端末、ビデオカメラ、ウェアブルカメラ等、各種のものを採用することができる。管理者の情報端末としては、ＰＣ、スマートフォン、タブレット端末等、各種のものを採用することができる。
【００２７】
このような構成において、作業者の情報端末３が、作業の開始、中断、再開、及び終了の少なくともいずれかを示す特定点を指示すると、サーバ装置１は、監視カメラ２の映像を記録及び配信するに際して、特定点の指示に基づいて、監視カメラの映像を記録するときに対応する特定点を併せて記録する。
【００２８】
より詳細には、本実施形態に係る監視システムでは、例えば、作業者が遂行しなければならない業務Ａを実行するときに、作業者の情報端末３より、業務Ａの開始時と終了時に特定点を示す信号を、監視映像を管理するサーバ装置側に送信する。
【００２９】
サーバ装置１は、特定点を示す信号を読み取り、録画映像のデータ上に業務Ａの開始時（ＩＮ点）と終了時（ＯＵＴ点）を業務チャプタとして記録する。具体的には、監視映像の中にチャプタマークを付する。チャプタマークに基づいて、タスクに該当する録画部分のみを常時再生することができ、業務Ａに係る監視映像のみを迅速に確認することができる。チャプタマークの記録時には、事前に登録しておいた日時や場所などの業務内容における種々の項目（以下、タグ）を同時に記録することができる。このタグを使って過去の業務でも項目別に即時に呼び出し、再生することができます。
【００３０】
作業者が遂行しなければならない業務、または管理者が確認したい業務は、業務Ｂ、業務Ｃの如く事前に複数登録することができる。
【００３１】
リアルタイム監視の場合でも、特定点を示す信号を読み取ったサーバ装置１は、管理者の情報端末４にその旨を通知する。情報端末４は、この通知を受けると、監視カメラ２の監視映像をリアルタイムでも、録画映像でも視聴できる。
【００３２】
また、管理者の情報端末４は、作業者の情報端末３への通話やメッセージ送信することもできる。この通話とメッセージ送信機能を使って、作業者へリアルタイムで業務の指示等を行うことができる。
【００３３】
監視カメラが撮影できない場所で業務を行う場合は、情報端末のカメラ機能を使って業務風景を作業者が撮影して対応することができる。
【００３４】
本実施形態に係る監視システムの最も大きな効果は、管理者が簡易に監視映像を確認できることで、作業者自信が業務遂行するとき業務開始ボタンを押すことによって、「今から監視される」ということを強く認識させて業務に対する不正行為や作業怠慢を抑止することにある。本監視システムによれば、リアルタイムでも録画でも、遠隔から複数地点の複数の業務を、時間をかけずに効率よく管理することが可能となる。
【００３５】
例えば、２４時間営業のコンビニエンス店で店内を従業員が清掃をしているかを確認するために１週間分の店内清掃を確認したい場合、７日間の清掃をリアルタイムで監視するか、過去７日間の監視映像の中から店内清掃だけを再生して確認することになる。その場合、店内の掃除という業務ノルマに対して怠慢や不正がなく業務を行なっているかを「リアルタイム監視」と「録画監視」のいずれかにより確認していくことになる。
【００３６】
先ず、「リアルタイム監視」の場合には、作業者は店内の清掃を開始するときに情報端末３の業務遂行アプリを起動させ、開始ボタンを押下する。そして、清掃が終わったら終了ボタンを押下する。開始ボタンが押されると、開始点に係る信号がサーバ装置１に送信され、サーバ装置１より管理者の情報端末４に通知がなされる。管理者は、情報端末４により通知があった時点で監視映像を確認し、不正や怠慢があった場合はその場で通話やメッセージ送信で業務改善指導を行うことができる。
【００３７】
一方、「録画監視」の場合には、作業者は、業務遂行アプリを起動させ、店内の清掃を開始するときに情報端末３の開始ボタンを押下し、終わったら終了ボタンを押下する。サーバ装置１は、この開始、終了に係る特定点に係る信号を受信すると、監視映像のデータに業務チャプタマークを記録することになる。
【００３８】
図２には監視システムにおけるサーバ装置の構成を示し説明する。
【００３９】
同図に示されるように、サーバ装置１は、全体の制御を司るＣＰＵ(Central Processing Unit)等の制御部１１が、通信部１２、記憶部１３と接続され構成されている。通信部１２はネットワーク５を介して作業者の情報端末３や管理者の情報端末４と通信するための通信インタフェースである。記憶部１３は、制御部１１で実行されるプログラム１８を記憶しており、その実行時にはワークエリアを提供する。また、記憶部１３は、論理的に管理者ＤＢ１４、作業者ＤＢ１５、カメラＤＢ１６、及びタスクＤＢ１７を備える。
【００４０】
ここで、図３（ａ）には、管理者ＤＢ１４の管理者テーブルの一例を示す。同図に示されるように、管理者テーブルでは、管理者ＩＤ、会社名、店舗名、管理者名、カテゴリ（職種、役職等）、タスク登録編集権限（有無）、映像閲覧権限（有無）、及びデータ削除権限（有無）が対応付けられて記憶されている。
【００４１】
図３（ｂ）には、担当者ＤＢ１５の作業者テーブルの一例を示す。同図に示されるようい、作業者テーブルでは、作業者ＩＤ、会社名、店舗名、作業者名、カテゴリ（職種、役職）、及び映像閲覧権限（有無）が対応付けられて記憶されている。
【００４２】
図３（ｃ）には、カメラＤＢ１６のカメラテーブルの一例を示す。同図に示されるように、カメラテーブルでは、カメラＩＤ、会社名、店舗名、カメラ１の属性、カメラ２の属性…カメラＮの属性が対応付けられて記憶されている。
【００４３】
そして、図４（ａ）には、タスクＤＢ１７のタスクテーブルの一例を示す。同図に示されるように、このタスクテーブルでは、タスクＩＤ、会社名、店舗名、タスク名、タスクカテゴリ、管理者ＩＤ、担当者ＩＤ、カメラＩＤ、予定開始時間、予定終了時間、開始時間、終了時間、中断時間、再開時間、重要度、繰り返し登録情報が対応付けられて記憶されている。そして、繰り返し登録情報は、図４（ｂ）に示されるように、繰り返し登録ＩＤ、年月日、毎日（有無）、毎週（有無）、曜日（日〜土を指定）、第Ｎ曜日、及び常時（有無）から構成されている。
【００４４】
このような構成において、制御部１１は、記憶部１３のプログラム１８を読み出し、実行することで、主制御部１１ａ、タスク登録更新部１１ｂ、タスク管理部１１ｃ、電子メール制御部１１ｄ、チャット制御部１１ｅ、監視映像記録配信部１１ｆ、特定点記録部１１ｇとして機能する。
【００４５】
主制御部１１ａは、統括的な制御を司るものである。タスク登録更新部１１ｂは、管理者の情報端末４で設定されたタスクを登録し、或いは内容を更新する。タスク管理部１１ｃは、タスクを管理し、タスクに含まれる作業開始時刻に至っても前記作業者の情報端末より作業開始に係る特定点の指示がなかったときは、所定の警告を行う。電子メール制御部１１ｄは、作業者の情報端末３との間で電子メールの送受信を実行する。チャット制御部１１ｅは、作業者の情報端末３との間でチャットを実行する。尚、タスク管理部による警告は、電子メール制御部１１ｄによる電子メールの送信、或いはチャット制御部１１ｅによるチャットによることとしてもよい。
【００４６】
監視映像記録配信部１１ｆは、監視カメラ２の映像を記録及び配信する。特定点記録部１１ｇは、作業者の情報端末３からの特定点の指示に基づいて、監視カメラ２の映像を記録するときに対応する特定点を併せてチャプタマークで記録する。
【００４７】
図５には監視システムにおける作業者の情報端末の構成を示し説明する。
【００４８】
同図に示されるように、作業者の情報端末３は、全体の制御を司る制御部３１が、通信部３２、操作部３３、表示部３４、カメラ部３５、記憶部３６と接続され、構成されている。制御部３１は、ＣＰＵやＭＰＵ等からなる。通信部３２は、サーバ装置１等と通信を行う通信インタフェースである。操作部３３は、マウスやキーボード等の操作デバイスであり、表示部３４はＬＣＤディスプレイ等の表示デバイスである。尚、操作部３３と表示部３４とをタッチパネルとして一体に形成してもよい。カメラ部３５は、撮像素子を備えた撮像部である。記憶部３６は、制御部３１で実行されるプログラム３７を記憶すると共に、その実行時にはワークエリアを提供する。
【００４９】
このような構成において、制御部３１は、記憶部３６のプログラムを読み出し実行することで、主制御部３１ａ、特定点指示部３１ｂ、電子メール制御部３１ｃ、チャット制御部３１ｄ、及び表示制御部３１ｅとして機能する。
【００５０】
主制御部３１ａは、統括的な制御を司る。特定点指示部３１ｂは、操作部３３による作業の開始、終了、中断、及び再開のボタン操作に基づいて、作業の開始点、終了点、中断点、及び再開点を含む特定点の記録に係る指示をサーバ装置１に対して行う。電子メール制御部３１ｃは、管理者の情報端末４等との間で電子メールの送受信を実行する。チャット制御部３１ｄは、管理者の情報端末４等との間でチャットを実行する。例えば、管理者からの作業指示等は、電子メールやチャットにより行われる。表示制御部３１ｅは、表示部３４による各種表示を制御する。
【００５１】
図６には監視システムにおける管理者の情報端末の構成を示し説明する。
【００５２】
同図に示されるように、管理者の情報端末４は、全体の制御を司る制御部４１を備えており、該制御部４１が、通信部４２、操作部４３、表示部４４、及び記憶部４５と接続されて構成されている。通信部４２は、作業者の情報端末３等と通信するための通信デバイスである。操作部４３は、マウスやキーボード等の操作デバイスである。表示部４４はＬＣＤディスプレイ等の表示デバイスである。記憶部４５は、制御部４１で実行されるプログラム４６を記憶するメモリ等であり、その実行時にはワークエリアを提供する。
【００５３】
このような構成において、制御部４１は、記憶部４５のプログラム４６を読み出し実行することで、主制御部４１ａ、監視部４１ｂ、タスク設定部４１ｃ、電子メール制御部４１ｄ、チャット制御部４１ｅ、及び表示制御部４１ｆとして機能する。
【００５４】
主制御部４１ａは、統括的な制御を司る。監視部は、サーバ装置１から配信される監視映像をリアルタイムで或は事後的に監視する。タスク設定部は、作業者のタスクを設定する。設定されたタスクは、サーバ装置１に送信され、サーバ装置側で登録又は更新されることになる。電子メール制御部４１ｄは、作業者の情報端末３との間で電子メールの送受信を実行する。チャット制御部４１ｅは、作業者の情報端末３との間でチャットを実行する。例えば、監視部４１ｂによる監視の実行中に、電子メール制御部４１ｄによる電子メール、又はチャット制御部４１ｅによるチャットの少なくともいずれかにより作業者に指示を行うことが可能となっている。表示制御部４１ｆは、表示部４４による各種表示を制御するものである。
【００５５】
以下、図７のフローチャートを参照して、監視システムによる監視方法（リアルタイム監視）を説明する。
【００５６】
管理者の情報端末４で、タスク設定部４１ｃにより作業者のタスクの設定がなされると（Ｓ１）、サーバ装置１側に通知され、サーバ装置１ではタスク登録更新部１１ｂがタスクをタスクＤＢ１７に登録又は更新する（Ｓ２）。作業者の情報端末３では、常時タスクを確認することができる（Ｓ３）。
【００５７】
サーバ装置１では、タスク管理部１１ｃが、作業者の作業の開始時刻となったか否かを常時判断しており（Ｓ４）、開始時刻になると（Ｓ４をＹｅｓ）、開始通知が作業者の情報端末３から送信されているか否かを判断する（Ｓ５）。そして、開始時刻になっても開始通知が届いていない場合には（Ｓ５をＮｏ）、開始指示通知を作業者の情報端末３に対して行う（Ｓ６）。
【００５８】
作業者の情報端末３より作業開始時に開始ボタンが押下され、特定点指示部３１ｂより開始点の指示がなされると（Ｓ７）、サーバ装置１では、特定点記録部１１ｇが、開始点をタスクＤＢ１７に記録する（Ｓ８）。監視映像には、チャプタマークも付される。また、作業者の情報端末３からは、主制御部３１ａの制御の下、開始通知も送信される（Ｓ９）。サーバ装置１は、主制御部１１ａの制御の下、この開始通知を管理者の情報端末４に転送する（Ｓ１０）。管理者の情報端末４は、この開始通知を受信する（Ｓ１１）。
【００５９】
サーバ装置１は、作業開始に伴い、監視カメラ２の監視映像を配信する（Ｓ１２）。管理者の情報端末４では、この監視映像をリアルタイム監視する（Ｓ１３）。この監視の最中に作業者と管理者とは、電子メールやチャットによるコミュニケーションを行うことが可能である（Ｓ１４）。例えば、作業指示等を簡易に行うことができる。
【００６０】
作業者の情報端末３では、作業を中断したか否かを判断し（Ｓ１５）、作業の中断ボタン等を押下されて作業中断されたときは（Ｓ１５をＹｅｓ）、特定点指示部３１ｂが中断点記録指示をサーバ装置１に行う（Ｓ１６）。サーバ装置１では、特定点記録部１１ｇが、作業の中断点をタスクＤＢ１７に記録する（Ｓ１７）。このとき、監視映像の中にチャプタマークが併せて付される。
【００６１】
作業者の情報端末３では、作業を再開したか否かを判断し（Ｓ１８）、作業の再開ボタン等を押下されて作業再開されたときは（Ｓ１８をＹｅｓ）、特定点指示部３１ｂが再開点記録指示をサーバ装置１に行う（Ｓ１９）。サーバ装置１では、特定点記録部１１ｇが、作業の再開点をタスクＤＢ１７に記録する（Ｓ２０）。監視映像には、チャプタマークも併せて付されることになる。
【００６２】
こうして、作業者の情報端末３より作業終了時に終了ボタンが押下され、特定点指示部３１ｂより終了点の指示がなされると（Ｓ２１）、サーバ装置１では、特定点記録部１１ｇが、タスクＤＢ１７に終了点を記録する（Ｓ２２）。監視映像には、チャプタマークも併せて付される。また、作業者の情報端末３からは主制御部３１ａの制御の下、終了通知も送信され（Ｓ２３）、サーバ装置１は、主制御部１１ａの制御の下、この終了通知を管理者の情報端末４に転送する（Ｓ２４）。管理者の情報端末４は、この終了通知を受信する（Ｓ２５）。こうして、監視に関わる一連の処理を終了することになる。
【００６３】
次に、図８のフローチャートを参照して、監視システムによる別の監視方法（録画管理）を説明する。
【００６４】
管理者の情報端末４で、タスク設定部４１ｃにより作業者のタスクの設定がなされると（Ｓ３１）、サーバ装置１側に通知され、サーバ装置１ではタスク登録更新部１１ｂがタスクをタスクＤＢ１７に登録又は更新する（Ｓ３２）。作業者の情報端末３では、常時タスクを確認することができる（Ｓ３３）。
【００６５】
サーバ装置１では、タスク管理部１１ｃが、作業者の作業の開始時刻となったか否かを常時判断しており（Ｓ３４）、開始時刻になると（Ｓ３４をＹｅｓ）、開始通知が作業者の情報端末３から送信されているか否かを判断する（Ｓ３５）。そして、開始時刻になっても開始通知が届いていない場合には（Ｓ３５をＮｏ）、開始指示通知を作業者の情報端末３に対して行う（Ｓ３６）。
【００６６】
作業者の情報端末３より作業開始時に開始ボタンが押下され、特定点指示部３１ｂより開始点の指示がなされると（Ｓ３７）、サーバ装置１では、特定点記録部１１ｇが、開始点をタスクＤＢ１７に記録する（Ｓ３８）。このとき、監視映像にはチャプタマークが併せて付される。また作業者の情報端末３からは、主制御部３１ａの制御の下、開始通知も送信される（Ｓ３９）。サーバ装置１は、主制御部１１ａの制御の下、この開始通知を管理者の情報端末４に転送する（Ｓ４０）。管理者の情報端末４は、この開始通知を受信する（Ｓ４１）。この後、作業中、作業者と管理者とは、電子メールやチャットによるコミュニケーションが可能である（Ｓ４２）。
【００６７】
作業者の情報端末３では、作業を中断したか否かを判断し（Ｓ４３）、作業の中断ボタン等を押下されて作業中断されたときは（Ｓ４３をＹｅｓ）、特定点指示部３１ｂが中断点記録指示をサーバ装置１に行う（Ｓ４４）。サーバ装置１では、特定点記録部１１ｇが、作業の中断点をタスクＤＢ１７に記録する（Ｓ４５）。監視映像には、チャプタマークが併せて付されることになる。
【００６８】
作業者の情報端末３では、作業を再開したか否かを判断し（Ｓ４６）、作業の再開ボタン等を押下されて作業再開されたときは（Ｓ４６をＹｅｓ）、特定点指示部３１ｂが再開点記録指示をサーバ装置１に行う（Ｓ４７）。サーバ装置１では、特定点記録部１１ｇが、作業の再開点をタスクＤＢ１７に記録する（Ｓ４８）。監視映像には、チャプタマークが併せて付されることになる。
【００６９】
こうして、作業者の情報端末３より作業終了時に終了ボタンが押下され、特定点指示部３１ｂより終了点の指示がなされると（Ｓ４９）、サーバ装置１では、特定点記録部１１ｇが、タスクＤＢ１７に終了点を記録する（Ｓ５０）。監視映像には、チャプタマークが併せて付される。また、作業者の情報端末３からは主制御部３１ａの制御の下、終了通知も送信され（Ｓ５１）、サーバ装置１は、主制御部１１ａの制御の下、この終了通知を管理者の情報端末４に転送する（Ｓ５２）。管理者の情報端末４は、この終了通知を受信する（Ｓ５３）。
【００７０】
サーバ装置１は、作業終了後に、録画された監視カメラ２の監視映像を配信する（Ｓ５４）。管理者の情報端末４では、この監視映像を録画監視する（Ｓ５５）。この監視の最中に作業者と管理者とは、電子メールやチャットによるコミュニケーションを行うことが可能である（Ｓ５６）。例えば、作業指示等を簡易に行うことができる。こうして、監視に関わる一連の処理を終了することになる。
【００７１】
ここで、図９乃至図１１には管理者の情報端末の各種画面を示し説明する。
【００７２】
図９には管理者画面の一例を示し説明する
【００７３】
同図において、リアルタイム監視時には、タブ１００ａを押下すれば、リアルタイム映像が領域１００ｆに表示される。一方、録画監視時には、タブ１００ｂを押下すれば、録画映像画面に切り替わる。タスクＩＤを登録する場合、タブ１００ｃを押下すれば、図１０に示されるようなタスク登録画面に切り替わる。アカウント登録する場合、タブ１００ｄを押下すれば、図１１（ａ）に示されるようなアカウント登録画面に切り替わる。カメラ登録する場合、タブ１００ｅを押下すれば、図１１（ｂ）に示されるようなカメラ登録画面に切り替わる。
【００７４】
領域１００ｆには、各監視カメラ２で指定された大きい画面で表示される。領域１００ｇには、各監視カメラ２の一覧が表示され、各カメラのボタンを押下すると、領域１００ｆに大きく表示されるように切り替わる。領域１００ｈには、タスク登録で設定した各種アラームの通知が表示される。各アラームを押下すると、内容を確認できる。領域１００ｉには、現在表示されている管理画面の店舗情報が表示される。電話登録をすればチャット等で通話もでき、複数登録されている場合、切り替え可能である。
【００７５】
領域１００ｊは、チャット画面であり、各種ＵＩが管理画面上で表示され、画面を見ながらメッセージを送り指示をすることができる。より詳細には、領域１００ｋにはアカウント登録された監視対象者、つまり作業者の名前がリスト表示される。名前を選択した対象者とのチャット画面が切り替わりチャットすることができる。領域１００ｌには、指定した対象者とのチャット画面が表示される。領域１００ｍを選択すると、指定した対象者とチャットしたときに添付した写真の一覧が表示される。領域１００ｎを選択すると、指定した対象者との通話画面が表示される。領域１００ｏを選択すると、指定した対象者への画像送信画面に切り替わる。そして、領域１００ｐを選択すると、指定した対象者へテキストメッセージを送信することができる。
【００７６】
このほか、領域１００ｑでは、登録したタスクを確認することができる。さらに、領域１００ｒでは、録画映像を視聴するときに過去のタスクを検索することができる。
【００７７】
図１０にはタスク登録画面の一例を示し説明する。
【００７８】
同図において、領域１０１ａは管理者選択のプルダウンメニューとなる。領域１０１ｂでは、編集の可否が設定される。領域１０１ｃでは、通知の有無が設定される。領域１０１ｄでは、繰り返し登録も可能となっている。例えば時間帯、曜日（第Ｎ曜日）、日、月単位で繰り返し作業の登録が可能である。領域１０１ｅでは、タスクの説明が記述されている。領域１０１ｆでは、監視カメラの映すことができない場所での作業時に写真を撮影してチャット上に添付させて確認することができる。領域１０１ｇでは、添付する写真を設定することができる。そして、領域１０１ｈでは、作業の工程の説明は記述され、作業者側で作業が完了したときには、チェックが表示される。
【００７９】
図１１（ａ）には、アカウント登録画面の一例を示し説明する。
【００８０】
同図に示されるように、管理者登録と担当者登録が可能であり、管理者については管理者ＩＤ、会社名、店舗名、管理者名、役職、タスク登録編集権限、映像閲覧権限、及びデータ削除権限等が設定可能である。担当者登録では、作業者ＩＤ、会社名、店舗名、担当者名、職種、及び映像閲覧権限等が設定可能である。
【００８１】
図１１（ｂ）には、カメラ登録画面の一例を示し説明する。
【００８２】
同図に示されるように、新規登録と分割登録とに大別され、複数のカメラやウェアラブルコンピュータ、携帯電話機、スマートフォン等の登録が可能となっている。また、複数に画面分割することも可能となっている。
【００８３】
図１２乃至図１４には作業者の情報端末の各種画面を示し説明する。
【００８４】
図１２には作業者画面の一例を示し説明する。
【００８５】
同図において、タブ１０２ａを選択すると、本日のタスクを確認することができる。タブ１０２ｂを選択すると、図１３のような画面に切り替わり、チャットが可能となる。タブ１０２ｃを選択すると、図１４のような画面に切り替わり、カメラ機能による撮影が可能となる。本日のタスクの中で確認したい領域１０２ｃを選択すると、画面下にタスク説明が表示される。尚、タスク終了した場合にはグレーアウトされる。
【００８６】
タスクを開始する場合にはタスク開始ボタン１０２ｄを、タスクを終了する場合にはタスク終了ボタン１０２ｅを、常時タスクである場合には常時タスクボタン１０２ｆをそれぞれ押下する。タスク開始予定は領域１０２ｇに表示され、タスク終了予定は領域１０２ｈに表示される。タスクを中断する場合にはタスク中断ボタン１０２ｉを押下し、タスクを再開する場合にはタスク再開ボタン１０２ｊを押下する。トラブルが発生した場合にはトラブルボタン１０２ｋを押下する。
【００８７】
領域１０２ｌには、タスク説明が表示される。領域１０２ｍには、写真添付をする場合にはここに貼り付ける。領域１０２ｎには、タスクが完了した場合にチェックするチェックボックスが表示されている。
【００８８】
図１３にはチャット画面の一例を示し説明する。チャット画面１０３では、チャット相手を特定し、チャットによるコミュニケーションが実現される。
【００８９】
図１４にはカメラ画面の一例を示し説明する。カメラ画面１０４では、カメラ機能による撮影が可能となっている。ここでいうカメラとは、作業者の情報端末に実装されたカメラ部による撮影である。
【００９０】
以上、本発明の一実施形態について説明したが、本発明はこれに限定されることなくその趣旨を逸脱しない範囲で種々の改良・変更が可能であることは勿論である。
【００９１】
例えば、監視映像には、前述した作業の開始点、中断点、再開点、及び終了点に加えて連続して短時間作業を行う場合にタスクに変更が生じたことを示す変更点等を記録するようにしてもよいことは勿論である。
【００９２】
また、接客教育、顧客満足度アップのツールとしても使用できる。接客時にウェアブルカメラなどで録画することにより接客データを収集してどのような対応パターンが想定されるかを分析し、対応をマニュルアル化することで、顧客満足度アップにも、接客教育にも使用できる。
【符号の説明】
【００９３】
１…サーバ装置、２…監視カメラ、３…作業者の情報端末、４…管理者の情報端末、５…ネットワーク、１１…制御部、１１ａ…主制御部、１１ｂ…タスク登録更新部、１１ｃ…タスク管理部、１１ｄ…電子メール制御部、１１ｅ…チャット制御部、１１ｆ…監視映像記録配信部、１１ｇ…特定点記録部、１２…通信部、１３…記憶部、１４…管理者ＤＢ、１５…作業者ＤＢ、１６…カメラＤＢ、１７…タスクＤＢ、１８…プログラム、３１…制御部、３１ａ…主制御部、３１ｂ…特定点指示部、３１ｃ…電子メール制御部、３１ｄ…チャット制御部、３１ｅ…表示制御部、３２…通信部、３３…操作部、３４…表示部、３５…カメラ部、３６…記憶部、３７…プログラム、４１…制御部、４１ａ…主制御部、４１ｂ…監視部、４１ｃ…タスク設定部、４１ｄ…電子メール制御部、４１ｅ…チャット制御部、４１ｆ…表示制御部、４２…通信部、４３…操作部、４４…表示部、４５…記憶部、４６…プログラム。
【図１】
2018101921.tif 000003
【図２】
2018101921.tif 000004
【図３】
2018101921.tif 000005
【図４】
2018101921.tif 000006
【図５】
2018101921.tif 000007
【図６】
2018101921.tif 000008
【図７】
2018101921.tif 000009
【図８】
2018101921.tif 000010
【図９】
2018101921.tif 000011
【図１０】
2018101921.tif 000012
【図１１】
2018101921.tif 000013
【図１２】
2018101921.tif 000014
【図１３】
2018101921.tif 000015
【図１４】
2018101921.tif 000016
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
複数の監視カメラと、
監視映像を記録及び配信するサーバ装置と、
作業者の情報端末と、
管理者の情報端末と、からなる監視システムであって、
前記作業者の情報端末は、
作業の開始、中断、再開、及び終了の少なくともいずれかを示す特定点を指示する特定点指示部を有し、
前記サーバ装置は、
前記監視カメラの映像を記録及び配信する監視映像記録配信部と、
前記作業者の情報端末からの特定点の指示に基づいて、前記監視カメラの映像を記録するときに対応する特定点を併せて記録する特定点記録部と、
前記管理者の情報端末で設定されたタスクを登録、更新するタスク登録更新部と、を有し、
前記管理者の情報端末は、
前記作業者のタスクを設定するタスク設定部と、
前記サーバ装置から配信される監視映像を監視する監視部と、を備える
監視システム。
【請求項２】
前記サーバ装置は、
前記タスクを管理し、前記タスクに含まれる作業開始時刻に至っても前記作業者の情報端末より作業開始に係る特定点の指示がなかったときは、所定の警告を行うタスク管理部を更に有する
請求項１に記載の監視システム。
【請求項３】
前記所定の警告は、電子メール又はチャットによる
請求項２に記載の監視システム。
【請求項４】
前記管理者の情報端末は、
電子メールを送受する電子メール制御部と、
チャットを実行するチャット制御部と、を更に備え、
前記監視部による監視の実行中に、前記電子メール制御部による電子メール、又は前記チャット制御部によるチャットの少なくともいずれかにより前記作業者に指示を行う
請求項３に記載の監視システム。
【請求項５】
複数の監視カメラと、
監視映像を記録及び配信するサーバ装置と、
作業者の情報端末と、
管理者の情報端末と、からなる監視システムによる監視方法であって、
前記管理者の情報端末が、前記作業者のタスクを設定し、
前記サーバ装置が、前記管理者の情報端末で設定されたタスクを登録、更新し、
前記作業者の情報端末が、作業の開始、中断、再開、及び終了の少なくともいずれかを示す特定点を指示し、
前記サーバ装置が、前記監視カメラの映像を記録及び配信し、
前記作業者の情報端末からの特定点の指示に基づいて、前記監視カメラの映像を記録するときに対応する特定点を併せて記録し、
前記管理者の情報端末が、前記サーバ装置から配信される監視映像を監視する
監視方法。
【請求項６】
前記サーバ装置が、
前記タスクを管理し、前記タスクに含まれる作業開始時刻に至っても前記作業者の情報端末より作業開始に係る特定点の指示がなかったときは、所定の警告を行う
請求項５に記載の監視方法。
【請求項７】
前記所定の警告は、電子メール又はチャットによる
請求項６に記載の監視方法。
【請求項８】
前記管理者の情報端末が、
前記監視の実行中に、電子メール、又はチャットの少なくともいずれかにより前記作業者に指示を行う
請求項７に記載の監視方法。
【手続補正２】
【補正対象書類名】明細書
【補正対象項目名】００１０
【補正方法】変更
【補正の内容】
【００１０】
上記課題を解決するため、本発明の第１の態様に係る監視システムは、複数の監視カメラと、監視映像を記録及び配信するサーバ装置と、作業者の情報端末と、管理者の情報端末と、からなる監視システムであって、前記作業者の情報端末は、作業の開始、中断、再開、及び終了の少なくともいずれかを示す特定点を指示する特定点指示部を有し、前記サーバ装置は、前記監視カメラの映像を記録及び配信する監視映像記録配信部と、前記作業者の情報端末からの特定点の指示に基づいて、前記監視カメラの映像を記録するときに対応する特定点を併せて記録する特定点記録部と、前記管理者の情報端末で設定されたタスクを登録、更新するタスク登録更新部と、を有し、前記管理者の情報端末は、前記作業者のタスクを設定するタスク設定部と、前記サーバ装置から配信される監視映像を監視する監視部と、を備える。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
さらに、本発明の第２の態様に係る監視システムは、第１の態様において、前記サーバ装置は、前記タスクを管理し、前記タスクに含まれる作業開始時刻に至っても前記作業者の情報端末より作業開始に係る特定点の指示がなかったときは、所定の警告を行うタスク管理部を更に有する。
【手続補正５】
【補正対象書類名】明細書
【補正対象項目名】００１３
【補正方法】変更
【補正の内容】
【００１３】
また、本発明の第３の態様に係る監視システムは、第２の態様において、前記所定の警告は、電子メール又はチャットによる。
【手続補正６】
【補正対象書類名】明細書
【補正対象項目名】００１４
【補正方法】変更
【補正の内容】
【００１４】
そして、本発明の第４の態様に係る監視システムは、第３の態様において、前記管理者の情報端末は、電子メールを送受する電子メール制御部と、チャットを実行するチャット制御部と、を更に備え、前記監視部による監視の実行中に、前記電子メール制御部による電子メール、又は前記チャット制御部によるチャットの少なくともいずれかにより前記作業者に指示を行う。
【手続補正７】
【補正対象書類名】明細書
【補正対象項目名】００１５
【補正方法】変更
【補正の内容】
【００１５】
さらに、本発明の第５の態様に係る監視方法は、複数の監視カメラと、監視映像を記録及び配信するサーバ装置と、作業者の情報端末と、管理者の情報端末と、からなる監視システムによる監視方法であって、前記管理者の情報端末が、前記作業者のタスクを設定し、前記サーバ装置が、前記管理者の情報端末で設定されたタスクを登録、更新し、前記作業者の情報端末が、作業の開始、中断、再開、及び終了の少なくともいずれかを示す特定点を指示し、前記サーバ装置が、前記監視カメラの映像を記録及び配信し、前記作業者の情報端末からの特定点の指示に基づいて、前記監視カメラの映像を記録するときに対応する特定点を併せて記録し、前記管理者の情報端末が、前記サーバ装置から配信される監視映像を監視する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明の第６の態様に係る監視方法は、第５の態様において、前記サーバ装置が、前記タスクを管理し、前記タスクに含まれる作業開始時刻に至っても前記作業者の情報端末より作業開始に係る特定点の指示がなかったときは、所定の警告を行う。
【手続補正１０】
【補正対象書類名】明細書
【補正対象項目名】００１８
【補正方法】変更
【補正の内容】
【００１８】
本発明の第７の態様に係る監視方法は、第６の態様において、前記所定の警告は、電子メール又はチャットによる。
【手続補正１１】
【補正対象書類名】明細書
【補正対象項目名】００１９
【補正方法】変更
【補正の内容】
【００１９】
そして、本発明の第８の態様に係る監視方法は、第７の態様において、前記管理者の情報端末が、前記監視の実行中に、電子メール、又はチャットの少なくともいずれかにより前記作業者に指示を行う。